【手続補正書】
【提出日】平成16年11月19日(2004.11.19)
【手続補正１】
【補正対象書類名】明細書
【補正対象項目名】発明の名称
【補正方法】変更
【補正の内容】
【発明の名称】高圧電源装置、及び高圧電源装置の制御方法
【手続補正２】
【補正対象書類名】明細書
【補正対象項目名】特許請求の範囲
【補正方法】変更
【補正の内容】
【特許請求の範囲】
【請求項１】
画像形成装置の感光体上に形成された静電潜像を可視像とする現像器と、
前記感光体を帯電させる帯電器と、
外部より入力されたクロックを目標周波数に分周する第１の分周回路と、
前記第１の分周回路によって分周されたクロックの位相を調整する位相調整回路と、
前記位相調整回路によって位相が調整されたクロックを所定の形状に整形する第１の波形整形回路と、
外部より入力されたクロックを目標周波数に分周する第２の分周回路と、
前記第２の分周回路によって目標周波数に分周されたクロックを所定の形状に整形する第２の波形整形回路とを有し、
前記第１の波形整形回路によって所定の形状に整形されたクロックが前記帯電器に入力され、
前記第２の波形整形回路によって所定の形状に整形されたクロックが前記現像器に入力されることを特徴とする高圧電源装置。
【請求項２】
前記位相調整回路は、前記第１の分周回路によって分周されたクロックを前記第２の分周回路によって分周されたクロックに対して１／４周期ずらして出力することを特徴とする請求項１記載の高圧電源装置。
【請求項３】
前記位相調整回路は、前記第１の分周回路によって分周されたクロックを前記第２の分周回路によって分周されたクロックに対して１／８周期ずらして出力することを特徴とする請求項１記載の高圧電源装置。
【請求項４】
前記位相調整回路は、前記第１の分周回路によって分周されたクロックを前記第２の分周回路によって分周されたクロックに対して任意に設定された位相ずらして出力することを特徴とする請求項１記載の高圧電源装置。
【請求項５】
前記位相調整回路は、前記第１の分周回路によって分周されたクロックを前記第２の分周回路によって分周されたクロックに基づいて位相を調整して出力することを特徴とする請求項１記載の高圧電源装置。
【請求項６】
前記位相調整回路は、前記第１の分周回路によって分周されたクロックを前記第２の分周回路によって分周されたクロックと同期させて出力することを特徴とする請求項１記載の高圧電源装置。
【請求項７】
前記各位相調整回路は、前記第１の分周回路によって分周されたクロックと前記第２の分周回路によって分周されたクロックとを同期させて出力することを特徴とする請求項１記載の高圧電源装置。
【請求項８】
画像形成装置の感光体上に形成された静電潜像を可視像とする現像器と、前記感光体を帯電させる帯電器と、外部より入力されたクロックを目標周波数に分周する第１の分周回路と、前記第１の分周回路によって分周されたクロックの位相を調整する位相調整回路と、前記位相調整回路によって位相が調整されたクロックを所定の形状に整形する第１の波形整形回路と、外部より入力されたクロックを目標周波数に分周する第２の分周回路と、前記第２の分周回路によって目標周波数に分周されたクロックを所定の形状に整形する第２の波形整形回路とを有する高圧電源装置の制御方法において、
前記第１の波形整形回路によって所定の形状に整形されたクロックが前記帯電器に入力される工程と、
前記第２の波形整形回路によって所定の形状に整形されたクロックが前記現像器に入力される工程とを有することを特徴とする高圧電源装置の制御方法。
【請求項９】
前記位相調整回路は、前記第１の分周回路によって分周されたクロックを前記第２の分周回路によって分周されたクロックに対して１／４周期ずらして出力することを特徴とする請求項８記載の高圧電源装置の制御方法。
【請求項１０】
前記位相調整回路は、前記第１の分周回路によって分周されたクロックを前記第２の分周回路によって分周されたクロックに対して１／８周期ずらして出力することを特徴とする請求項８記載の高圧電源装置の制御方法。
【請求項１１】
前記位相調整回路は、前記第１の分周回路によって分周されたクロックを前記第２の分周回路によって分周されたクロックに対して任意に設定された位相ずらして出力することを特徴とする請求項８記載の高圧電源装置の制御方法。
【請求項１２】
前記位相調整回路は、前記第１の分周回路によって分周されたクロックを前記第２の分周回路によって分周されたクロックに基づいて位相を調整して出力することを特徴とする請求項８記載の高圧電源装置の制御方法。
【請求項１３】
前記位相調整回路は、前記第１の分周回路によって分周されたクロックを前記第２の分周回路によって分周されたクロックと同期させて出力することを特徴とする請求項８記載の高圧電源装置の制御方法。
【請求項１４】
前記各位相調整回路は、前記第１の分周回路によって分周されたクロックと前記第２の分周回路によって分周されたクロックとを同期させて出力することを特徴とする請求項８記載の高圧電源装置の制御方法。
【手続補正３】
【補正対象書類名】明細書
【補正対象項目名】０００１
【補正方法】変更
【補正の内容】
【０００１】
【発明の属する技術分野】
本発明は高圧電源装置、及び高圧電源装置の制御方法に関し、特に干渉ジマや帯電・現像の振動が発生しない高圧電源装置、及び高圧電源装置の制御方法に関する。
【手続補正４】
【補正対象書類名】明細書
【補正対象項目名】０００３
【補正方法】変更
【補正の内容】
【０００３】
【発明が解決しようとする課題】
本発明は、上記問題点に鑑みなされたものであり、干渉ジマや後段の装置の騒音を防止する高圧電源装置、及び高圧電源装置の制御方法を提供することを目的とする。
【手続補正５】
【補正対象書類名】明細書
【補正対象項目名】０００４
【補正方法】変更
【補正の内容】
【０００４】
【課題を解決するための手段】
かかる目的を達成するために、請求項1記載の高圧電源装置は、画像形成装置の感光体上に形成された静電潜像を可視像とする現像器と、前記感光体を帯電させる帯電器と、外部より入力されたクロックを目標周波数に分周する第１の分周回路と、前記第１の分周回路によって分周されたクロックの位相を調整する位相調整回路と、前記位相調整回路によって位相が調整されたクロックを所定の形状に整形する第１の波形整形回路と、外部より入力されたクロックを目標周波数に分周する第２の分周回路と、前記第２の分周回路によって目標周波数に分周されたクロックを所定の形状に整形する第２の波形整形回路とを有し、前記第１の波形整形回路によって所定の形状に整形されたクロックが前記帯電器に入力され、前記第２の波形整形回路によって所定の形状に整形されたクロックが前記現像器に入力されることを特徴とする高圧電源装置。
【手続補正６】
【補正対象書類名】明細書
【補正対象項目名】０００５
【補正方法】変更
【補正の内容】
【０００５】
請求項２記載の発明は、請求項１記載の高圧電源装置において、前記位相調整回路は、前記第１の分周回路によって分周されたクロックを前記第２の分周回路によって分周されたクロックに対して１／４周期ずらして出力することを特徴とする。
【手続補正７】
【補正対象書類名】明細書
【補正対象項目名】０００６
【補正方法】変更
【補正の内容】
【０００６】
請求項３記載の発明は、請求項１記載の高圧電源装置において、前記位相調整回路は、前記第１の分周回路によって分周されたクロックを前記第２の分周回路によって分周されたクロックに対して１／８周期ずらして出力することを特徴とする。
【手続補正８】
【補正対象書類名】明細書
【補正対象項目名】０００７
【補正方法】変更
【補正の内容】
【０００７】
請求項４記載の発明は、請求項１記載の高圧電源装置において、前記位相調整回路は、前記第１の分周回路によって分周されたクロックを前記第２の分周回路によって分周されたクロックに対して任意に設定された位相ずらして出力することを特徴とする。
【手続補正９】
【補正対象書類名】明細書
【補正対象項目名】０００８
【補正方法】変更
【補正の内容】
【０００８】
請求項５記載の発明は、請求項１記載の高圧電源装置において、前記位相調整回路は、前記第１の分周回路によって分周されたクロックを前記第２の分周回路によって分周されたクロックに基づいて位相を調整して出力することを特徴とする。
【手続補正１０】
【補正対象書類名】明細書
【補正対象項目名】０００９
【補正方法】変更
【補正の内容】
【０００９】
請求項６記載の発明は、請求項１記載の高圧電源装置において、前記位相調整回路は、前記第１の分周回路によって分周されたクロックを前記第２の分周回路によって分周されたクロックと同期させて出力することを特徴とする。
請求項７記載の発明は、請求項１記載の高圧電源装置において、前記各位相調整回路は、前記第１の分周回路によって分周されたクロックと前記第２の分周回路によって分周されたクロックとを同期させて出力することを特徴とする。
請求項８記載の発明は、画像形成装置の感光体上に形成された静電潜像を可視像とする現像器と、前記感光体を帯電させる帯電器と、外部より入力されたクロックを目標周波数に分周する第１の分周回路と、前記第１の分周回路によって分周されたクロックの位相を調整する位相調整回路と、前記位相調整回路によって位相が調整されたクロックを所定の形状に整形する第１の波形整形回路と、外部より入力されたクロックを目標周波数に分周する第２の分周回路と、前記第２の分周回路によって目標周波数に分周されたクロックを所定の形状に整形する第２の波形整形回路とを有する高圧電源装置の制御方法において、前記第１の波形整形回路によって所定の形状に整形されたクロックが前記帯電器に入力される工程と、前記第２の波形整形回路によって所定の形状に整形されたクロックが前記現像器に入力される工程とを有することを特徴とする。
請求項９記載の発明は、請求項８記載の高圧電源装置の制御方法において、前記位相調整回路は、前記第１の分周回路によって分周されたクロックを前記第２の分周回路によって分周されたクロックに対して１／４周期ずらして出力することを特徴とする。
請求項１０記載の発明は、請求項８記載の高圧電源装置の制御方法において、前記位相調整回路は、前記第１の分周回路によって分周されたクロックを前記第２の分周回路によって分周されたクロックに対して１／８周期ずらして出力することを特徴とする。
請求項１１記載の発明は、請求項８記載の高圧電源装置の制御方法において、前記位相調整回路は、前記第１の分周回路によって分周されたクロックを前記第２の分周回路によって分周されたクロックに対して任意に設定された位相ずらして出力することを特徴とする。
請求項１２記載の発明は、請求項８記載の高圧電源装置の制御方法において、前記位相調整回路は、前記第１の分周回路によって分周されたクロックを前記第２の分周回路によって分周されたクロックに基づいて位相を調整して出力することを特徴とする。
請求項１３記載の発明は、請求項８記載の高圧電源装置の制御方法において、前記位相調整回路は、前記第１の分周回路によって分周されたクロックを前記第２の分周回路によって分周されたクロックと同期させて出力することを特徴とする。
請求項１４記載の発明は、請求項８記載の高圧電源装置の制御方法において、前記各位相調整回路は、前記第１の分周回路によって分周されたクロックと前記第２の分周回路によって分周されたクロックとを同期させて出力することを特徴とする。